(57)【要約】      （修正有）【課題】広角で、均一で柔和な照射効果を有するＬＥＤバルブの導光装置を提供する。【解決手段】ＬＥＤバルブの導光装置は、ＬＥＤバルブの発光部位に設置され、ＬＥＤバルブはランプヘッド、ランプヘッド前端に設けられて複数のＬＥＤ単体を有し発光照明を提供する発光モジュールを包含し、導光装置は該ランプヘッド上に設置されるカバーと、カバーの外部に、中心点方向から離れるように旋回しつつ延伸された複数の螺旋状導光柱とを具え、各螺旋状導光柱の基部は一つのＬＥＤ単体位置に対応する。螺旋状導光柱を利用しＬＥＤ単体の光線が適宜位置と角度に導かれる。【選択図】図１
0003168673.tif 000002
【実用新案登録請求の範囲】
【請求項１】
LEDバルブの導光装置であって、該導光装置はLEDバルブの発光部位に設置され、該LEDバルブはランプヘッドと該ランプヘッド前端に設けられて複数のLED単体を有する発光モジュールとを包含し、
該導光装置は透光材料で構成され、該ランプヘッド上に設置されるカバーを具え、該カバーの外部に複数の、中心点から離れる方向に向けて旋回しつつ延伸された複数の螺旋状導光柱が設置され、各該螺旋状導光柱の基部はそれぞれ一つのLED単体の位置に対応することを特徴とする、LEDバルブの導光装置。
【請求項２】
請求項１記載のLEDバルブの導光装置において、該カバー内部の該螺旋状導光柱の基部に対応する位置に、それぞれが前述のLED単体を収容する複数の盲孔が設けられたことを特徴とする、LEDバルブの導光装置。
【請求項３】
請求項１記載のLEDバルブの導光装置において、該複数の螺旋状導光柱の間に間距が保持されたことを特徴とする、LEDバルブの導光装置。
【請求項４】
請求項１記載のLEDバルブの導光装置において、該複数の螺旋状導光柱の、それぞれカバーに接近する位置に、連接部が設けられたことを特徴とする、LEDバルブの導光装置。
【請求項５】
請求項１記載のLEDバルブの導光装置において、該複数の螺旋状導光柱は同一方向に向けて交錯するように排列され、これにより複数の螺旋状導光柱が全体として開口が徐々に拡張する錐状を形成したことを特徴とする、LEDバルブの導光装置。
【請求項６】
請求項１記載のLEDバルブの導光装置において、該複数の螺旋状導光柱の外縁に円弧部があることを特徴とする、LEDバルブの導光装置。
【請求項７】
請求項６記載のLEDバルブの導光装置において、該複数の螺旋状導光柱の内側の厚さはその外縁の厚さより大きいことを特徴とする、LEDバルブの導光装置。
【考案の詳細な説明】
【技術分野】
【０００１】
本考案は照明器具の構造技術に係り、特にLEDバルブの導光装置の関係技術に関する。
【背景技術】
【０００２】
近年、照明用LEDの技術が発展して次第に成熟し、且つ各種照明器具、たとえばLED懐中電灯、LED街灯或いは規格が市販のバルブと符合するLEDバルブ等に広く運用されるようになり、節電、耐用性などの多くの長所を有している。
【０００３】
理論上は、照明用バルブの発光時に現出する最大照射角度は１８０度より大きくなければならないが、LEDバルブのLED単体は、その製造工程で、先にLEDチップを金属フレーム上の碗状ベース内に固定し、並びにエポキシ樹脂で封止しなければならず、このため、LED単体が基礎構造（碗状ベース）の遮蔽により制限されてしまうため、レンズの屈折を利用して補う必要がある。現在市販されているLED単体の有効照射角度は１８０度よりも遥かに小さい。
【０００４】
言い換えると、LED単体は有効な前向き光線しか発生できず、バルブ後方の１８０度より大きい位置は、光線を獲得できず、さらにこのためLEDバルブ実施時に、その現出する照射角度と範囲は伝統的なバルブのようではない。
【考案の概要】
【考案が解決しようとする課題】
【０００５】
以上を鑑み、本考案者は、LEDバルブの使用特性に対して研究と改良を進め、さらに本考案のLEDバルブの導光装置を設計し、LED単体の照射角度と範囲を十分に増加できるようにし、広角で、均一で柔和な照射効果を現出できるようにした。
【０００６】
本考案の目的は、LEDバルブの照射角度と範囲をさらに広くし、さらに均一で柔和とする導光装置を提供することで、LEDバルブの照射角度が制限される問題を改善することにある。
【課題を解決するための手段】
【０００７】
上述の目的を達成するため、本考案はLEDバルブの導光装置は、LEDバルブの発光部位に設置され、該LEDバルブは、ランプヘッドと、該ランプヘッド前端に設けられて複数のLED単体を有する発光モジュールと、を包含する。該導光装置は透光材料で構成され、該ランプヘッド上に設置されるカバーを具え、該カバーの外部に複数の、中心点から離れる方向に向けて旋回しつつ延伸された螺旋状導光柱が設置され、各螺旋状導光柱の基部はそれぞれ一つのLED単体位置に対応する。LED単体が光線を発生する時、螺旋状導光柱を通して一部の光線は適当な位置と角度に導かれて照射し、こうしてもともとLED単体が現出する照射角度及び範囲が変更されて、光線が本考案のLEDバルブの導光装置の案内により、さら広角で、さらに均一で柔和な方式で照射される。
【０００８】
実施時には、上述のLED単体内部の各螺旋状導光柱に対応する基部位置にそれぞれ該LED単体を収容する盲孔が設けられ、これによりLED単体の周囲がカバーにより被覆されて、より良好な光線案内効果が発揮される。
【０００９】
前述の各螺旋状導光柱の間はある距離を保持し、これにより各螺旋状導光柱は適当な螺旋弾性効果を発揮し、これによりLEDバルブの導光装置は衝突時に簡単には損壊しない。
【００１０】
前述の各螺旋状導光柱の間のカバーに接近する位置には連接部が設けられ、これにより各螺旋状導光柱の基部は簡単には亀裂切断の状況を発生しない。
【００１１】
前述の各螺旋状導光柱は同一方向に向けて交錯するように排列され、これにより複数の螺旋状導光柱全体が開口が徐々に拡張する錐状とされ、これにより各螺旋状導光柱がバルブ後方に向けて照射する光線がその螺旋状導光柱自身或いはその他の螺旋状導光柱により遮蔽されるのを防止する。
【００１２】
前述の各螺旋状導光柱の外縁には円弧部が設けられ、且つ各螺旋状導光柱内側の厚さはその外縁の厚さより大きく、これにより、大多数の光線は円弧部に集中して照射し、円弧部の設置によりさらに多くの光線がバルブ後方に向けて照射され、これにより本考案のLEDバルブの導光装置の照射の範囲はさらに広角で、さらに均一で柔和とされる。
【考案の効果】
【００１３】
周知の技術と比較すると、本考案のLEDバルブの導光装置は独特の螺旋状導光柱を利用して光線を適当な位置と角度に導いて照射し、特に、本考案は反射鏡を設置する必要なく、導光原理を利用して、照明を適当に、均一にLEDバルブの後方に分散させ、一般のLEDバルブの正面のみに照明できる問題を有効に解決する。
【図面の簡単な説明】
【００１４】
【図１】本考案の本考案の好ましい実施例をLEDバルブ端部に設置した外観図である。
【図２】本考案の本考案の好ましい実施例をLEDバルブ端部に設置した断面図である。
【図３】本考案の最良の実施例の螺旋状導光柱の表示図である。
【図４】本考案の最良の実施例の立体外観図である。
【図５】本考案の最良の実施例の局部断面図である。
【考案を実施するための形態】
【００１５】
本考案の技術内容、構造特徴、達成する目的を詳細に説明するため、以下に実施例を挙げ並びに図面を組み合わせて説明する。
【００１６】
図１、２に示されるのは、本考案の好ましい実施例を、LEDバルブ端部に設置した外観図、断面図である。図面中、導光装置１０はLEDバルブ２０の発光部位に設置され、該LEDバルブ２０は、ランプヘッド２１、ランプヘッド２１の前端に設けられた発光モジュール２２を包含する。該発光モジュール２２の前方には、光線を発生するための複数のLED単体２３が発光モジュール２２で、発光照明に供される。
【００１７】
前述の導光装置１０は透光材料で形成され、且つランプヘッド２１上に取り付けられるカバー１１を具えている。該カバー１１の外部には、基部が前述のLED単体２３の位置に対応する複数の螺旋状導光柱１２が発光モジュール２２、且つ各螺旋状導光柱１２は中心点から離れる方向へと旋回しつつ延伸される。
【００１８】
図３は本考案の最良の実施例の螺旋状導光柱の表示図である。前述のカバー１１の内部の、螺旋状導光柱１２の基部に対応する位置に、それぞれLED単体２３を収容する複数の盲孔１３が設けられ、LED単体２３の周囲はカバー１１で被覆され、また、各螺旋状導光柱１２の外縁には円弧部１４が設けられている。
【００１９】
LED単体２３が光線を発生する時、螺旋状導光柱１２の案内により、一部の光線は適当な位置と角度に案内されて照射され、特に、光線は円弧部１４より拡散され、もともとLED単体２３が現出する光線照射方向が変更される。
【００２０】
図４及び図５は本考案の最良の実施例の立体外観図及び局部断面図である。図に示される各螺旋状導光柱１２の内側の厚さｈ１はその外縁の円弧部１４の厚さｈ２より大きく、これにより大多数の光線は円弧部１４に集中してそれから照射され、円弧部１４の設置によりさらに多くの光線がバルブ後方に向けて照射され、これにより照射範囲がさらに広角となり、光線はさらに均一で柔和となる。
【００２１】
前述したように、各螺旋状導光柱１２は中心点より離れる方向に向けて螺旋状に延伸され、実施時には、各螺旋状導光柱１２は同一方向に向けて交錯するように排列され、複数の螺旋状導光柱１２全体が、開口が徐々に拡張する錐状を現出する。
【００２２】
図５の例では、上方に位置する螺旋状導光柱１２から中心点の距離ｈ３は下方の螺旋状導光柱１２から中心点の距離ｈ４より大きく、これにより、各螺旋状導光柱１２がバルブ後方に向けて照射する光線が、その螺旋状導光柱１２自身或いはその他の螺旋状導光柱１２により遮蔽されて、円弧部１４が光線を案内してバルブ後方に照射させる効果に影響を与えるのを防止する。
【００２３】
次に、各螺旋状導光柱１２の間には適当な間距が保持される。該間距の保持により各螺旋状導光柱１２は適当な螺旋弾性効果を発揮でき、導光装置１０が衝突された時に、適度の弾性後退を発生して損壊しにくいものとされている。
【００２４】
このほか、各螺旋状導光柱１２の間の、カバー１１に近い位置に、連接部１５が設置され、これにより各螺旋状導光柱１２の基部が簡単には亀裂や切断を発生しないものとされている。
【００２５】
総合すると、本考案のLEDバルブの導光装置１０は独得の螺旋状導光柱１２を利用して、光線を適当な位置と角度に導き、照射し、並びに導光原理を利用して光線を適当に、均一にLEDバルブの後方に分散させ、これによりLEDバルブの有効な照射角度がさらに全面的になる。
【００２６】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２７】
１０  導光装置
１１  カバー
１２  螺旋状導光柱
１３  盲孔
１４  円弧部
１５  連接部
２０  LEDバルブ
２１  ランプヘッド
２２  発光モジュール
２３  LED単体
【図１】
0003168673.tif 000003
【図２】
0003168673.tif 000004
【図３】
0003168673.tif 000005
【図４】
0003168673.tif 000006
【図５】
0003168673.tif 000007